(57)【要約】      （修正有）【課題】照明範囲を拡大できると同時に照明の均一度を向上できる照明灯具を提供する。【解決手段】放熱ハウジング２２は電気導通部２１に取付けられ、底壁部２２１と周壁部２２２を含む。底壁部は円弧面を有し、円弧面は底壁部の周縁より底壁部の中心部に向くと共に、電気導通部の遠ざかる方向に突き出し、周壁部は底壁部の周縁より外部に延伸する。回路基板２３は中心穴２３２と凹み溝２３３を有し、回路基板は底壁部の一辺に貼り付けて設ける。発光素子は間隔を置いて、回路基板に取り付ける。グローブ２６を放熱ハウジングの一辺に蓋設する。発光ダイオード２４は円弧面に沿って配置する。【選択図】図３
0003164033.tif 000002
【実用新案登録請求の範囲】
【請求項１】
電気導通部と、
前記電気導通部の一辺に設けられた放熱ハウジングと、
回路基板と、
前記回路基板に所定間隔を置いて取り付けられた複数の発光素子と、
前記放熱ハウジングの一辺に蓋設されたグローブと、を含む照明灯具であって、
前記放熱ハウジングは、
円弧面を備える底壁部と、
前記底壁部の周縁より外向きに延伸する周壁部とを含み、
前記円弧面は、前記底壁部の周縁より前記底壁部の中心の向くとともに、前記電気導通部から遠ざかる方向に突き出し、
前記回路基板は、中心穴と、凹み溝を備え、前記底壁部の一辺に貼り付けて設けられたことを特徴とする、照明灯具。
【請求項２】
前記周壁部に複数の放熱リブを周設することを特徴とする、請求項１に記載の照明灯具。
【請求項３】
前記電気導通部はさらに複数の位置決めピンを有し、前記底壁部はさらに複数の固定穴を備え、前記複数の位置決めピンを前記複数の固定穴に対応させることを特徴とする、請求項１に記載の照明灯具。
【請求項４】
前記放熱ハウジングはアルミ金属またはアルミ合金部材からなることを特徴とする、請求項１に記載の照明灯具。
【請求項５】
前記底壁部はさらに中心穴を有し、前記底壁部の他辺はさらに複数の放熱体を設けられ、前記複数の放熱体は前記中心穴より外部方向へ放射状に延伸することを特徴とする、請求項１に記載の照明灯具。
【考案の詳細な説明】
【技術分野】
【０００１】
本考案は一種の照明灯具に関し、特に照明範囲と照明の均一度を向上できる照明灯具に関する。
【背景技術】
【０００２】
従来のタングステンを使用する電球は受け金の構造が単純のため、取付け、交換が便利のほか、廊下、トイレまたは工場等様々な場所に適用できる。しかし、従来の電球は消費電気が大きく、寿命も長くない欠点があるほか、長時間使用した後に高熱を発生し、交換時に危険性がある。
【０００３】
近年は、発光ダイオードの技術が発展しつつ、成熟度も高い。加えて、低電気消費、使用寿命が長い、体積が小さく反応が速いなどの特長から従来のタングステン電球に代わりつつあり、将来の主流市場が見込まれている。
【考案の概要】
【考案が解決しようとする課題】
【０００４】
図１と図２は、公知技術の発光ダイオード電球の立体図と光路態様図を示したものである。図において、現在発売中の発光ダイオード電球の多くは、電気導通部１１と、ハウリング１２と、複数の発光ダイオード１３と、グローブ１４とにより構成されている。当該発光ダイオード１３はハウリング１２の平坦な表面に取り付けられている。このため、発光ダイオード１３より出射される光線の照射角が制限され、特定の区域に集中して照射され、均一な照明環境を提供できなく、利用性も制限される。
【課題を解決するための手段】
【０００５】
本考案の主な目的は照明範囲を拡大でき、照明の均一度を向上できる照明灯具を提供することにある。
【０００６】
前述目的を達成するため、本考案の照明灯具は、電気導通部と、放熱ハウジングと、回路基板と、複数の発光ダイオードと、グローブとを備える。放熱ハウジングは電気導通部に取付けられ、底壁部と周壁部を含む。底壁部は円弧面を有し、円弧面は底壁部の周縁より底壁部の中心部に向くと共に、電気導通部の遠ざかる方向に突き出し、周壁部は底壁部の周縁より外部に延伸する。回路基板は中心穴と、凹み溝を有し、回路基板は底壁部の一辺に貼り付けて設ける。発光素子は間隔を置いて、回路基板に取り付ける。グローブを放熱ハウジングの一辺に蓋設する。
【０００７】
そのうち、周壁部に複数の放熱リブが設けられている。
【０００８】
そのうち、電気導通部はさらに複数の位置決めピンを有し、底壁部はさらに複数の固定穴を有する。位置決めピンを固定穴に対応させる。
【０００９】
そのうち、放熱ハウジングはアルミ金属またはアルミ合金からなる。
【図面の簡単な説明】
【００１０】
【図１】公知技術の発光ダイオード電球の立体図である。
【図２】公知技術の発光ダイオード電球の光路態様図である。
【図３】本考案の照明灯具の好ましい実施例による分解図である。
【図４】本考案の照明灯具の好ましい実施例による組合せ図である。
【図５】本考案の照明灯具の好ましい実施例による光路態様図である。
【図６】本考案の照明灯具の好ましい実施例において、放熱ハウジングの底壁部に放熱体を追加設置された態様図（その１）である。
【図７】本考案の照明灯具の好ましい実施例において、放熱ハウジングの底壁部に放熱体を追加設置された態様図（その２）である。
【考案を実施するための形態】
【００１１】
以下に図面を参照しながら本考案の実施例について説明する。
【実施例】
【００１２】
図３と図４は、本考案の照明灯具の好ましい実施例による分解図と組み合わせ図を示したものである。
本考案に係る照明灯具２は電気導通部２１と、放熱ハウジング２２と、回路基板２３と、複数の発光ダイオード２４と、グローブ２６とを備える。
【００１３】
電気導通部２１はねじ山２１１と複数の位置決めピン２１２とを有する。電気導通部２１はねじ山２１１によって電球ホルダー（図示していない）に締め付けられている。放熱ハウジング２２はアルミ金属またはアルミ合部材からなり、電気導通部２１の一辺に取り付けられている。
【００１４】
放熱ハウジング２２は底壁部２２１と周壁部２２２を有する。底壁部２２１は円弧面２２１１と複数の固定穴２２１２とを有する。円弧面２２１１は底壁部２２１の周縁より底壁部２２１の中心に向くとともに、電気導通部２１の遠ざかる方向に突き出し。固定穴２２１２を位置決めピン２１２に対応させ、位置決めピン２２１２は締め付けねじ２５の穿設に提供され、対応の位置決めピン２１２に締め付けて、放熱ハウジング２２と電気導通部２１とを結合させる。周壁部２２２は底壁部２２１の周縁から外部に延伸し、かつ複数の放熱リブ２２２１を設けられている。
【００１５】
回路基板２３は複数の穴部２３１と、中心穴２３２と、凹み溝２３３とを備える。中心穴２３２と凹み溝２３３によって回路基板２３に可とう性を持たせることによって、回路基板２３は締め付けねじ２５より穴部２３１をくぐらして、底壁部２２１の円弧面２２１１に沿って底壁部２２１に貼り付けさせ、回路基板２３を円弧面２２１に対応する円弧度を形成する。
【００１６】
発光ダイオード２４は間隔を置いて、回路基板２３に設けられ、円弧面２２１１の曲面分布に対応されている。
【００１７】
グローブ２６はプラスチックまたはガラス部材からなり、放熱ハウジング２２の一辺に蓋設して、回路基板２３と発光ダイオード２４を封じる。
【００１８】
図５は本考案の照明灯具の好ましい実施例による光路態様図を示したものである。発光ダイオード２４は円弧面２２１１に対応して設置されており、底壁部２２１の外縁に取り付けていた発光ダイオード２４の出射光線がより幅広い角度で光線を投射し、照明範囲を拡大できるほか、投射光の過度な集中を防止し、照明の均一度の向上を図る。
【００１９】
このほか、放熱効率の向上により、発光ダイオード２４の温度を引き下げるため、底壁部２２１を回路基板２３に取り付けられているもう一つの側面はさらに、複数本の放熱体２２３を設けられている。放熱体２２３は図６と７に示すように、底壁部２２１の中心穴から外部へ放射状に底壁部２２１の外縁に延伸させるか、または底壁部２２１の中心穴から放射状に周壁部２２２の上端部に延伸させる。
【００２０】
前述したとおり、本考案の照明灯具は発光ダイオードの設置角度を調節することによって円弧面の曲面分布を形成することにより、照明範囲を拡大し照明の均一度を向上させ、室内照明により適合できる。
【００２１】
以上に説明したものは、本考案の好ましい実施例であり、本考案の実施範疇に制限を加わるものではない。当技術に熟知するものは、本考案の精神と範疇を逸脱されない、いかなる等効果変化と修飾とも、本考案の実用新案請求範囲に含まれる。
【符号の説明】
【００２２】
１１・・・・・・電気導通部
１２・・・・・・ケーシング
１３・・・・・・発光ダイオード
１４・・・・・・ランプハウジング
２・・・・・・・照明灯具
２１・・・・・・電気導通部
２１１・・・・・ねじ山
２１２・・・・・位置決めピン
２２・・・・・・放熱ハウジング
２２１・・・・・底壁部
２２１１・・・・円弧面
２２１２・・・・固定穴
２２２・・・・・周壁部
２２２１・・・・放熱リブ
２２３・・・・・放熱体
２３・・・・・・回路基板
２３１・・・・・・穴部
２３２・・・・・中心穴
２３３・・・・・凹み溝
２４・・・・・・発光ダイオード
２５・・・・・・締め付けねじ
２６・・・・・・グローブ
【図１】
0003164033.tif 000003
【図２】
0003164033.tif 000004
【図３】
0003164033.tif 000005
【図４】
0003164033.tif 000006
【図５】
0003164033.tif 000007
【図６】
0003164033.tif 000008
【図７】
0003164033.tif 000009